(57)【要約】【課題】  快適な座席空間を提供できる、育児器具の座席を提供する。【解決手段】  育児器具の座席は、厚み方向に貫通する貫通孔１６が設けられた背もたれ板１２と、貫通孔１６と整列可能な貫通孔２４を有する重ね板２０と、貫通孔１６および貫通孔２４を覆って設けられ、背もたれ板１２との間に空気層２９を形成する反射性シート２８と、反射性シート２８に設けられた通気孔２７とを含む。【選択図】        図３
2006280720.tif 000002
【特許請求の範囲】
【請求項１】
厚み方向に貫通する第１の孔が設けられた座席を形成する板材と、
前記第１の孔を覆って設けられ、前記座席を形成する板材との間に空気層を形成する覆い板と、
前記空気層を外部と流通させる通気手段とを含む、育児器具の座席。
【請求項２】
前記座席を形成する板材に重なるように設けられ、厚み方向に貫通する第２の孔を有する重ね板と、
前記重ね板の第２の孔を、前記底板の第１の孔と整列する第１位置と、前記第１の孔とずれて位置する第２の位置との間で相対的に移動させる移動手段とをさらに含む、請求項１に記載の育児器具の座席。
【請求項３】
前記覆い板は、前記重ね板に設けられる、請求項２に記載の育児器具の座席。
【請求項４】
前記通気手段は、ファンである請求項１〜３のいずれかに記載の育児器具の座席。
【請求項５】
前記通気手段は通気孔を含む、請求項１〜４のいずれかに記載の育児器具の座席。
【請求項６】
前記覆い板は、前記座席を形成する板材または前記重ね板からの立上がり部を有し、前記通気手段は、前記立上がり部に設けられる、請求項１または２に記載の育児器具の座席。
【請求項７】
前記覆い板は反射性表面を有する、請求項１〜６のいずれかに記載の育児器具の座席。
【請求項８】
前記座席を形成する板材は、座板である、請求項１〜７のいずれかに記載の育児器具の座席。
【請求項９】
前記座席を形成する板材は、背もたれ板である、請求項１〜７のいずれかに記載の育児器具の座席。
【発明の詳細な説明】
【技術分野】
【０００１】
この発明は、乳母車、チャイルドシート、ベビーラック、子守帯その他の育児器具の座席に関するものである。
【背景技術】
【０００２】
従来の育児器具の座席が、たとえば、特開２００４−２２９９１０号公報（特許文献１）に記載されている。
【０００３】
同公報によれば、育児器具の座席は、座板と、リクライニング調節可能な背もたれ板と、座板および背もたれ板に対面する座面部および背面部とを一体に有する重ね板とを備える。座板および背もたれ板、ならびに重ね板は、それぞれ貫通孔を有し、それぞれの貫通孔は、整列または遮蔽された位置に相対的に位置決めが可能である。それぞれの貫通孔の位置を相互に調整することによって育児器具の座席の通気性が確保されている。
【特許文献１】特開２００４−２２９９１０号公報（図１〜図３およびそれに関連する記載）
【発明の開示】
【発明が解決しようとする課題】
【０００４】
従来の、育児器具の座席は上記のように構成され、座席の通気性については考慮されていた。一方、夏等に路面からの照り返しがきつい場合がある。このような場合に、路面からの反射を避けるために、上記した重ね板の背面に反射性のあるシートを設けることが考えられる。しかしながら、単に重ね板の背面に反射性のあるシートを貼っただけでは、座板および重ね板に設けられた貫通孔を通して路面の照り返しが育児器具の座席に侵入し、座席に位置する乳幼児にとって苦痛な座席空間となる可能性がある。
【０００５】
この発明は上記のような問題点に着目してなされたもので、乳幼児にとって快適な座席空間を提供できる、育児器具の座席を提供することを目的とする。
【課題を解決するための手段】
【０００６】
この発明にかかる育児器具の座席は、厚み方向に貫通する第１の孔が設けられた座席を形成する板材と、第１の孔を覆って設けられ、座席を形成する板材との間に空気層を形成する覆い板と、空気層を外部と流通させる通気手段とを含む。
【０００７】
座席を形成する板材には貫通孔が設けられ、その貫通孔を覆って、板材との間に空気の断熱層が形成されるため、板材は外部からの熱の影響を受けない。また、空気層には通気手段が設けられるため、座席を形成する板材からの熱は外部へ放出される。
【０００８】
その結果、乳幼児にとって、快適な座席空間を提供できる育児器具の座席を提供できる。
【０００９】
好ましくは、座席を形成する板材に重なるように設けられ、厚み方向に貫通する第２の孔を有する重ね板と、重ね板の第２の孔を、底板の第１の孔と整列する第１位置と、第１の孔とずれて位置する第２の位置との間で相対的に移動させる移動手段とをさらに含む。
【００１０】
さらに好ましくは、覆い板は、重ね板に設けられる。
【００１１】
なお、通気手段は、ファンであってもよいし、通気孔であってもよい。
【００１２】
また、覆い板は、座席を形成する板材または重ね板からの立上がり部を有し、通気孔は、立上がり部に設けられてもよい。
【００１３】
さらに好ましくは、覆い板は反射性表面を有する。
【００１４】
また、座席を形成する板材は、座板であってもよいし、背もたれ板であってもよい。
【発明を実施するための最良の形態】
【００１５】
以下この発明の実施の形態を、図面を参照して説明する。図１および図２は、この発明の一実施の形態に係る育児器具の座席１０を示す図である。図１は後に説明する、座席を形成する板材である座席板材１１の貫通孔と、その背面（図１、図２において手前側）に設けられた重ね板２０の貫通孔とが整列した状態を示す図であり、図２は、座席板材１１の貫通孔と、その背面に設けられた重ね板２０の貫通孔とがずれた状態を示す図である。図３は、図１において、ＩＩＩ−ＩＩＩで示す部分の断面図である。
【００１６】
図１〜図３を参照して、育児器具の座席１０は、乳母車の車体等に取付けられて座席を形成する芯材であり、座席板材１１と重ね板２０とを含む。座席板材１１は、乳幼児が育児器具の座席１０に保持されたとき、その背中を保持する背もたれ板１２と、背もたれ板１２の両側縁から側方に延びている１対の側板１３ａ，１３ｂと、背もたれ板１２の上端縁から上方に延び、乳幼児の頭部を保持する頭壁部１４と、背もたれ板１２の後端部に設けられ、乳幼児の尻部を保持する座板１５と、座板１５の後端部に設けられた足載せ板１７とを一体的に備える。
【００１７】
育児器具の座席１０は、乳母車の車体に取付けられる布製の座席ハンモックの芯材として利用されても良いし、座席ハンモックを介さずに車体に直接取付けられるものであってもよい。
【００１８】
図１は、育児器具の座席１０の背面側を水平に展開した状態を示している。育児器具の座席１０が乳母車に取付けられて椅子状の形態で使用されるときには、背もたれ板１２は座板１５の上端縁から上方に立ち上がっている。また、ベッド状の形態で使用されているときには、１対の側板１３ａ、１３ｂは背もたれ板１２の両側縁から上方に立ち上がり、頭部壁１４は背もたれ板１２の上端縁から上方に立ち上がっている。
【００１９】
図１および図２に示すように、座席板材１１の背面には、重ね板２０が取付けられている。この重ね板２０は、座板１５に対面する座面部２１と、背もたれ板１２に対面する背面部２２と、１対の側板１３ａ，１３ｂに対面する側面部２３ａ，２３ｂとを一体に有する。
【００２０】
重ね板２０の各部、すなわち、座面部２１、背面部２２、側面部２３には、それぞれ、座席の通気性を確保するための貫通孔２４が形成されている。図１では、重ね板２０や、後に説明する覆い板２５と重なったり、それによって隠れて見えないが、座席板材１１の座板１５、背もたれ板１２および側板１３にも、重ね板２０の貫通孔２４と整列し得る貫通孔１６（図３参照）が形成されている。
【００２１】
重ね板２０は、重ね板２０の貫通孔２４と座席板材１１の貫通孔１６とが整列する第１の位置（図３に示す位置）と、それらの貫通孔１６，２４がずれて、両貫通孔１６，２４が遮断される位置関係となる第２の位置との間を変位可能に設けられている。図示した実施形態では、重ね板２０は、背もたれ板１２の中央部に設けられた移動手段であるつまみ２６を所定距離だけ上下方向にスライドさせることによって、上記した、第１の位置と第２の位置との移動が可能である。
【００２２】
なお、重ね板２０をスライド可能にするための具体的な構成は公知であるのでその説明は省略する。
【００２３】
乳母車等の座席に対して通気性を望むとき、あるいは、通気の遮断を望むとき、つまみ２６を操作して重ね板２０を動かす。これに伴って、覆い板２５も移動する。
【００２４】
重ね板２０の背面部２２には、背面部２２との間に袋状の空気層２９を形成する覆い板２５（図３参照）が設けられている。この覆い板２５の重ね板２０からの立上がり部の周囲には、通気手段として、複数の通気孔２７が設けられている。なお、図３では、背面部２２のみを示しているが、座面部２１についても同様である。
【００２５】
このように、覆い板２５によって、重ね板２０の座面部２１および背面部２２の背面に空気層２９を形成したため、外部との断熱効果が得られる。その結果、夏はより涼しく、また、冬はより暖かく、座席周囲を維持できる。
【００２６】
次に、覆い板２５について説明する。図３に示すように、覆い板２５は、背面部２２との間に空気層２９を形成するとともに、重ね板２０からの立上がり部の周囲に通気孔２７を有している。また、覆い板２５は外部からの光や熱を反射する反射性シート２８であってもよい。なお、覆い板２５全体を反射性シートとすることなく、空気層２９の反対側の面のみに反射性表面を有する部材で構成してもよい。
【００２７】
このように、覆い板２５を用いて空気層２９を設けるとともに、覆い板を反射性シートで構成したため、座席板材１０の位置に保持された乳幼児からの熱を貫通孔１６，２４を調整することによって、通気孔２７を介して外部へ逃がすことができる。また、夏の暑い時期に、路面からの照り返しを反射性シート２８によって反射させることができるとともに、照り返しによる外部の熱気が、直接貫通孔１６、２４を経て、背もたれ板１２や座板１５に到達することはない。その結果、座席底板１０に位置する乳幼児にとって快適な座席空間を提供できる。
【００２８】
次にこの発明の他の実施の形態について説明する。図４はこの発明の他の実施の形態を示す図であり、先の実施の形態の図３に対応する。この実施の形態においては、先の実施の形態における座席板材１１は設けられるが、それに重ねられる重ね板２０は設けられない。一方で、重ね板２０の背面部２２に設けられた覆い板２５と同様の覆い板３０が背もたれ板１２の背面部分に設けられる。したがって、この実施の形態においては、背もたれ板１２の貫通孔１６は開口したままである。なお、ここでは、乳母車のシート５０も示している。
【００２９】
図４を参照して、この実施の形態においては、覆い板３０は、先の実施の形態と異なり、背もたれ板１２から立上がり部３２を介して立ち上がっている。この立上がり部３２には通気孔３３が設けられている。
【００３０】
覆い板３０の一部には、開口部３７が設けられており、この開口部３７には、通気手段として電動ファン３８が設けられている。また、この覆い板３０は、先の実施の形態で述べたように、外部からの光や熱を反射する反射性シートであってもよい。
【００３１】
立上がり部３２に設けられている複数の通気孔には、通気孔３３を開閉するシャッタ３５が設けられている。シャッタ３５の立上がり部３２への取付け状態を図５に示す。
【００３２】
図５は、図４において、矢印Ｖで示す方向から見た矢視図である。図５を参照して、シャッタ３５は、立上がり部３２に設けられた通気孔３３と同じピッチを有する貫通孔３５ａを有し、シャッタ３５を移動させることによって通気孔３３の開閉を行なう。
【００３３】
このように、この実施の形態によれば、背もたれ板１２および座板１５の背面に断熱空気層３６が形成されるため、シート５０は背面の熱の影響を直接受けることはない。また、電動ファン３７によって、座席板材１１の貫通孔１６からの空気を外部へ引き出すことにより、シート５０に位置する乳幼児は、心地よい微風を感じることができる。
【００３４】
なお、覆い板３０には立上がり部３２に複数の通気孔３３が設けられ、この通気孔３３を通して換気が行なわれるため、電動ファン３８は常時作動させる必要はない。
【００３５】
また、通気孔３３にはシャッタ３５が設けられるため、シート５０に位置する乳幼児の状態に応じて、シャッタ３５の開閉の程度、電動ファン３８のオンオフを調整することによって乳幼児を快適な環境に置くことが可能になる。
【００３６】
なお、上記実施の形態においては、電動ファンと通気孔とを両方設ける場合について説明したが、これに限らず、一方だけを設けてもよい。
【００３７】
また、上記実施の形態においては、育児器具の座席を乳母車に用いた例について説明したが、これに限らず、チャイルドシート、ベビーラック、子守帯その他の育児器具の座席に利用できるのはいうまでもない。
【００３８】
なお、図３に示した実施の形態においては、覆い板２５の通気孔２７に図４に示したようなシャッタを設けていないが、図４に示したようなシャッタを設けてもよい。
【００３９】
また、図４に示した実施の形態においては、背もたれ板１２に重ね板を設けなかったが、これに限らず、図３に示したような重ね板を設けてもよい。
【００４０】
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。
【産業上の利用可能性】
【００４１】
この発明にかかる育児器具の座席は、乳幼児に対して、快適な座席空間を提供できるため、乳母車やチャイルドシート等の育児器具の座席として有利に利用される。
【図面の簡単な説明】
【００４２】
【図１】この発明の一実施の形態に係る、育児器具の座席の背面を示す展開図において、座席板材と重ね板との貫通孔の位置が一致した状態を示す図である。
【図２】この発明の一実施の形態に係る、育児器具の座席の背面を示す展開図において、座席板材と重ね板との貫通孔の位置がずれた状態を示す図である。
【図３】図１においてＩＩＩ−ＩＩＩで示す部分の断面図である。
【図４】この発明の他の実施の形態に係る、図３に対応する図である。
【図５】図４において、Ｖで示す方向から見た矢視図である。
【符号の説明】
【００４３】
１０  育児器具の座席、１１  座席板材、１２  背もたれ板、１３  側板、１４  頭部壁、１５  座板、１７  足のせ板、１６，２４  貫通孔、２０  重ね板、２１  座面部、２２  背面部、２３  側面部、２５，３０  覆い板、２７，３３  通気孔、２８  反射性シート、２９，３６  空気層、３２  立上がり部、３５  シャッタ、３７  開口部、３８  電動ファン。
【図１】
2006280720.tif 000003
【図２】
2006280720.tif 000004
【図３】
2006280720.tif 000005
【図４】
2006280720.tif 000006
【図５】
2006280720.tif 000007